(57)【要約】【課題】一般の粘着テープの片端に、折り返しを形成するテープカッターを提供する。【解決手段】テープロール支持台７０に装着した粘着テープロール１０から粘着テープ１１を繰り出してテープ切断刃２２により切断された粘着テープ１１に対して、テープ切断可動アーム２０が回動して固定ローラー保持台３０に接触すると、切断された粘着テープ端部にループタブ８４を形成可能なループタブ形成機構を設けると共に、テープ切断可動アーム２０に装着したロックレバー４１により、テープ切断可動アーム２０と固定ローラー支持台３０との接触を維持するロック機構４０を設けてあり、ループタブ形成機構により形成されたループタブ付き粘着テープ１１の繰り出しにより、テープルール支持台７０に設けた上下動可能なシャフト５０の引き上げ及びリリーズレバー６１の作動により、ロック機構４０を解除するリリーズ機構６０を有する片折れテープカッター。【選択図】図９
2019131348.tif 000002
【特許請求の範囲】
【請求項１】
平面視略方状の基台上面の一方の端部近傍から他方の端部近傍に向かって、テープ切断刃を有する回動可能なテープ切断可動アーム、固定ローラー保持台、及び粘着テープロールを着脱可能なテープロール支持台をこの順に配設してなり、
前記テープロール支持台に装着した粘着テープロールから粘着テープを繰り出して前記テープ切断刃により切断された粘着テープに対して、前記テープ切断可動アームが回動して前記固定ローラー保持台に接触すると、切断された粘着テープ端部にループタブを形成可能なループタブ形成機構を設けると共に、
前記テープ切断可動アームに装着したロックレバーにより、前記テープ切断可動アームと前記固定ローラー支持台との接触を維持するロック機構を設けてあり、
前記ループタブ形成機構により形成されたループタブ付き粘着テープの繰り出しにより、前記テープルール支持台に設けた上下動可能なシャフトの引き上げ及びリリーズレバーの作動により、前記ロック機構を解除するリリーズ機構を有することを特徴とする片折れテープカッター。
【請求項２】
請求項１記載の片折れテープカッターにおいて、前記シャフトは円柱の棒であり、前記テープロール指示台に支えられるように円周方向に溝があり、前記テープロール指示台は前記シャフトを上下動可能なシャフトを移動させるシャフト移動溝を有することを特徴とする片折れテープカッター。
【請求項３】
請求項１または請求項２記載の片折れテープカッターにおいて、前記固定ローラー保持台はローラー保持ベースの上に、粘着テープを支える回転可能なローラーを置き、前記テープ切断可動アームが押されると、前記ローラーが後方回転することを特徴とする片折れテープカッター。
【請求項４】
請求項１記載の片折れテープカッターを用い、そのテープロール支持台に粘着テープロールを装着し、ループタブを形成保持し、前記粘着テープロールから粘着テープを繰り出しにより前記シャフトが引き上げられて保持解除し、粘着テープを切断することにより、切断された粘着テープ端部に片折れ部を形成することを特徴とする片折れテープの形成方法。  
【発明の詳細な説明】
【技術分野】
【０００１】
本発明は、一般の粘着テープの片端に、折り返しを形成するテープカッターに関するものである。
【背景技術】
【０００２】
一般的に使用されている机上設置用のテープカッターは、粘着テープを指でつまみ適当な長さに引き出してカットして貼り付ける物であり、剥がす必要が生じたとき、テープ全面が貼り付いているので、剥がし難いものである。
この解決策の1つとして、両手を使い粘着テープの片端を数ｍｍ折り返して粘着面同士合わせ、折り返したタブを作り、貼着することが一般的に行われていた。
【０００３】
そこで、近年では折り返しタブを形成するテープカッターが提案されている。本願発明に関連する公知技術として次の特許文献を挙げることができる。
【先行技術文献】
【特許文献】
【０００４】
【特許文献１】実開平５−７５２５０号公報
【特許文献２】特開２００４−２８４６８７号公報
【特許文献３】特開２０１６−２１０５２１号公報
【発明の概要】
【発明が解決しようとする課題】
【０００５】
特許文献１に記載された粘着テープカッターは、可動可能なカッターホルダーを指でテープ一時保持部まで押して、テープ折り返しループを作り、カッターホルダーを押し付けたまま、折り返し部を摘み、粘着テープを引き出してテープカットする。
そのために次のような課題があった。
（イ）  指で押しながら折り返し部をつまむので、指がこすれてしまう、これを何度も繰り返すと指の皮膚がピリピリと敏感になり、痛みが伴う。
（ロ）  折り返しが上向きにできず、下に潜り込むことがある。
【０００６】
特許文献２に記載された粘着テープカッターは、指で可動カッター部を起立部まで押すとループ状の剥離タブができ、同時に可動カッター部はロックされるので、剥離タブを指で摘まんで引き上げると、ローラーが持ち上げり、ロックが解除され、可動カッター部が元の位置に戻りテープカットする。
そのために次のような課題があった。
（イ）  使用時に粘着テープをローラーに挟むタイプであり、粘着テープを引き出して装着するとき、粘着テープの粘着面がローラー等に付着し装着が面倒である。
（ロ）  粘着テープを引きずりだすとき、粘着面もローラーに接着しながら回るので、粘着面が汚れる。
（ハ）  剥離タブを必要としない、従来型のテープカッターとして使用する際、可動カッター部と起立部の間隔が狭いので、粘着テープが取出し難い。
【０００７】
特許文献３に記載された粘着テープカッターは、特許文献２のローラーの代わりに磁石を用いているが、次のような課題があった。
（イ）  初めの使用時に粘着テープを引き出して、可動部の間を通すので、テープの装着が面倒である。
（ロ）   粘着テープを引き出す際、粘着側も離型材に接着するので、粘着面が汚れる。
（ハ）  折り返しタブを必要としない、従来型のテープカッターとして使用する際、プレートと上部移動体の間隔が狭すぎて、粘着テープを取出し難い。
（ニ）  磁石同士がぶつかりあうので、ガチャガチャとうるさい。
（ホ）  機構が複雑すぎる。
【０００８】
本発明は、これらの問題点を解決するためになされたものである。
【課題を解決するための手段】
【０００９】
本発明の片折れテープカッターは、次の構成を有することを特徴とする。
【００１０】
（１）平面視略方状の基台上面の一方の端部近傍から他方の端部近傍に向かって、テープ切断刃を有する回動可能なテープ切断可動アーム、固定ローラー保持台、及び粘着テープロールを着脱可能なテープロール支持台をこの順に配設してなり、
前記テープロール支持台に装着した粘着テープロールから粘着テープを繰り出して前記テープ切断刃により切断された粘着テープに対して、前記テープ切断可動アームが回動して前記固定ローラー保持台に接触すると、切断された粘着テープ端部にループタブを形成可能なループタブ形成機構を設けると共に、
前記テープ切断可動アームに装着したロックレバーにより、前記テープ切断可動アームと前記固定ローラー支持台との接触を維持するロック機構を設けてあり、
前記ループタブ形成機構により形成されたループタブ付き粘着テープの繰り出しにより、前記テープルール支持台に設けた上下動可能なシャフトの引き上げ及びリリーズレバーの作動により、前記ロック機構を解除するリリーズ機構を有することを特徴とする。
【００１１】
（２）前記シャフトは円柱の棒であり、前記テープ指示台に支えられるように円周方向に溝があり、前記テープ指示台は前記シャフトを上下動可能なシャフトを移動させるシャフト移動溝を有することが好ましい。
【００１２】
（３）前記固定ローラー保持台はローラー保持ベースの上に、粘着テープを支える回転可能なローラーを置き、前記テープ切断可動アームが押されると、前記ローラーが後方回転することが好ましい。
【００１３】
（４）前記（１）記載の片折れテープカッターを用い、テープロール支持台に粘着テープロールを装着し、ループタブを形成保持し、前記粘着テープロールから粘着テープを繰り出しにより前記シャフトが引き上げられて保持解除し、粘着テープを切断することにより、切断された粘着テープ端部に片折れ部を形成することを特徴とする片折れテープの形成方法。
【発明の効果】
【００１４】
本発明により、必要なときだけ、簡単に且つ、確実に片端に折り返しのある粘着テープを形成ことができ、連続使用しても指が擦れないので過敏症にならない。更に折り返し不要な通常のテープカッターとしても使えるという利点がある。
【図面の簡単な説明】
【００１５】
【図１】実施例１の外観図  （ａ）斜視図  （ｂ）側面図
【図２】実施例１のシャフト及びリール  （ａ）シャフト  （ｂ）リール（ｃ）粘着テープロール    （ｄ）装着図
【図３】実施例１のテープ切断可動アームと上方突起バネ及び、固定ローラー保持台  （ａ）プッシュ前  （ｂ）プッシュ後
【図４】実施例１のテープ切断刃と粘着テープの関係図（ａ）テープ切断刃  （ｂ）側面図
【図５】実施例１のロックレバー及びリリーズレバー  （ａ）平面図  （ｂ）側面図
【図６】実施例１のシャフト移動溝の理論説明図  （ａ）全体図  （ｂ）拡大図
【図７】実施例１のテープ切断刃とローラー／テープ保持バーの高さ説明図（a）水平線定義（b）ローラーとテープ保持バーの高さ
【図８】実施例１の初期状態  （ａ）斜視図  （ｂ）側面図
【図９】実施例１のロック状態  （ａ）斜視図  （ｂ）側面図
【図１０】実施例１のリリーズ状態  （ａ）斜視図  （ｂ）側面図
【図１１】実施例１のテープカット状態  （ａ）斜視図  （ｂ）側面図
【図１２】実施例２のリール部  （ａ）リール  （ｂ）リリーズ盤  （ｃ）粘着テープロール（ｄ）装着図
【図１３】実施例２の初期状態  （ａ）斜視図  （ｂ）側面図
【図１４】実施例２のロック状態  （ａ）斜視図  （ｂ）側面図
【図１５】実施例２のリリーズ状態  （ａ）斜視図  （ｂ）側面図
【図１６】実施例２のカット状態  （ａ）斜視図  （ｂ）側面図
【図１７】実施例３の初期状態  （ａ）斜視図  （ｂ）側面図
【図１８】実施例３のロック状態  （ａ）斜視図  （ｂ）側面図
【図１９】実施例３のリリーズ状態  （ａ）斜視図  （ｂ）側面図
【発明を実施するための形態】
【００１６】
本発明の片折れテープカッターは、一般のテープカッターとしても使用できるが、粘着テープに折り返しのあるループ状のタブを形成し、必要な長さまで引き出しカットできることを特徴とするので、折り返し形成の機能を中心にその実施形態を、以下の実施例により説明する。
【実施例１】
【００１７】
〔構成〕
以下、本発明に係る片折れテープカッターの実施形態の構成を、概略構成から始め、順次詳細な各部について図面を参照して説明する。
【００１８】
（概略構成）
図１に本実施形態の片折れテープカッター１の構成を示す。（ａ）は斜視図であり、（ｂ）は側面図である。
平面視略方状の基台８０の端部近傍の上に、テープ切断刃２２を持つ回動可能なテープ切断可動アーム２０を設け、テープ切断可動アーム２０に向き合うように固定ローラー保持台３０を設置し、テープロール支持台７０を基台８０の反対の端の上に設ける。
図２（ｃ）に示す一般の粘着テープロール１０を図２（ｂ）のリール１３に装着し、図８に示すようにテープロール支持台７０にシャフト５０をセットし、テープ切断可動アーム２０が回動して、固定ローラー保持台３０に接触すると、図９に示す粘着テープ１１のループタブ８４を形成するループタブ形成機構を基台８０の上に設け、
テープ切断可動アーム２０にロックレバー４１を装着し、固定ローラー保持台３０に接触したテープ切断可動アーム２０をロック保持するロック機構４０を設け、
図１０に示す通り、ループタブ８４の引っ張りにより、シャフト５０は引き上がって、ロックレバー４１のロックを外すリリーズレバー６１を有するリリーズ機構６０を基台８０の上に設け、
図１１に示す通り、粘着テープ１１をテープ切断刃２２に押し付けてカットする、ことを特徴とする片折れテープカッターである。
【００１９】
（シャフト）
図２で示す通り、シャフト５０は円柱の棒であり、リール１３の中心軸に装着固定され、テープロール支持台ギャップ５４の溝がテープロール支持台７０により支えられる。
シャフト５０の中心軸両側にリリーズピン５１が出ている。
【００２０】
（リール）
図２（ｂ）に示す通り、リール１３は中心軸にシャフト５０を挿入固定した構造である。
使用する粘着テープロール１０を、リール１３に装着して使用する。図２（ｄ）は装着図であり、テープロール支持台７０で支えられる。
図８は、粘着テープロール１０を片折れテープカッター１にセットし最初の１回だけテープ切断刃２２でカットした後の初期状態である。
【００２１】
（テープ切断可動アーム）
図３で示す通り、テープ切断可動アーム２０は、可動アームベース２１の先端にテープ切断刃２２を有し、テープ切断可動アーム２０が押されアーム回転軸２５を中心に回転し、ループタブ８４を形成する。
テープ切断可動アーム２０は板バネ状のアーム戻しバネ２６により、常に後方に押されている。
【００２２】
テープ切断刃２２は図４（ａ）に示す通りギザギザになっており、粘着テープ１１の切断後は図４（ｂ）のように、テープ切断刃２２に接着されている。
【００２３】
（上方突起バネ）
上方突起バネ２７は、図３（ａ）に示すようにテープ切断刃２２に接触しており、テープ切断刃２２の先端からのギャップｇは数ｍｍあり、幅１〜２ｃｍ程の板バネ状のものである。上方突起バネ２７はテープ切断刃２２の先端とほゞ同じ高さである。
【００２４】
固定ローラー保持台３０の中ほどに、上方突起バネ２７を抑える突起バネ押さえ棒２８があり、テープ切断可動アーム２０が押されると、図３（ｂ）に示すように、上方突起バネ２７は、くの字型に曲がり、その先端がローラー３２の中心よりも下がる機構になっている。
【００２５】
（固定ローラー保持台）
図３（ａ）で示す通り、固定ローラー保持台３０はローラー保持ベース３１の上に、回転可能なローラー３２を置き、粘着テープ１１を乗せて接着保持している。ローラー３２は粘着可能な部材で出来た回転可能なローラー状の棒である。
テープ切断可動アーム２０が指で押されローラー３２に近づいたとき、図３（ｂ）のようにローラー３２は１ｍｍほど後方（図では反時計回り）に回転し、ローラー３２と上方突起バネ２７の間の粘着テープ１１は上向きに盛り上がり、ループタブ８４を確実に形成する機構である。
【００２６】
（テープ保持バー）
図３で示す通り、テープ保持バー３４は接着可能な部材であり、固定ローラー保持台３０と粘着テープロール１０の間に位置し基台８０の上に固定され、粘着テープ１１を接着する高さがあり、粘着テープ１１を後退させ過ぎない保持バーである。
【００２７】
（ストッパー）
図８で示す通り、テープ切断可動アーム２０の背面にストッパー８１を設け、ストッパー８１を前後に調整するストッパー調整ネジ８２を有し、テープ切断刃２２とローラー３２との間の距離を１〜２ｃｍほど開けることができる。
【００２８】
（ロック機構）
図９で示す通り、ロック機構４０はロックレバー４１とロックレバー保持台４２から構成され、ロックレバー４１はテープ切断可動アーム２０と連結連動しており、テープ切断可動アーム２０に付けられたロックレバー軸受２３によりロックレバー４１も押される。テープ切断可動アーム２０がローラー３２に接触したとき、ロックレバー４１は図５に示すフック部分のL字型のカギ状の部分が、ロックレバー保持台４２に引っ掛かる機構である。
【００２９】
（リリーズ機構）
図５に示す通り、リリーズ機構６０は、リリーズレバー結合子６７によりリリーズレバー６１とロックレバー４１を固定結合されている。
図９に示すように、テープ切断可動アーム２０が押され、ロックレバー４１がロックされると、リリーズレバー６１はリリーズピン５１に丁度接触するようにリリーズレバー６１の、くの字の部分の角度を調整しておく。
図１０で示す通り、粘着テープ１１が手８６で引き出されると、粘着テープロール１０は引き上げられ、粘着テープロール１０の内側に装着されているリール１３とシャフト５０もシャフト移動溝５２に沿って、斜め上向きに数ｃｍ持ち上がる。
【００３０】
シャフト５０の中心軸から横に出たリリーズピン５１によりリリーズレバー６１を押し上げ、リリーズレバー６１はロックレバー４１をロックレバー保持台４２から持ち上げロック解除する構造である。  
【００３１】
（テープロール支持台）
図８に示すように、テープロール支持台７０は、シャフト５０を支持する台であり、シャフト５０が上下に移動できるシャフト移動溝５２を有する構造である。
【００３２】
粘着テープロール１０の内側に、リール１３とシャフト５０を装着し、テープロール支持台７０にセットできるように、シャフト装入溝５３があり、その幅はシャフト５０がスムーズに入る幅であり、挿入口はテープ切断可動アーム２０の反対側にあり、シャフト移動溝５２まで通じている。
【００３３】
（シャフト移動溝の理論）
シャフト移動溝５２の、溝の角度と長さについては、図６で説明する。
（１）   図６（ａ）で示すシャフト５０の初めの中心位置をシャフト下位点５０１とし、テープ切断刃２２の先端をテープ切断刃先端点９４とし、その距離をＤ１とする。粘着テープ１１の引っ張りによりシャフト５０が持ち上がった最上位の位置をシャフト上位点５０２とし、テープ切断刃先端点９４との距離をＤ２とする。このときＤ２＜Ｄ１であり、その差であるシャフト中心距離差ｄｌは１ｍｍ以内にする。
（２）  図６（ｂ）で示すシャフト５０の移動距離Lはリリーズレバー６１でロックレバー４１をロック解除できる長さとする。
シャフト移動溝５２の水平角度θと移動距離Lは上記（１）と（２）を満足する角度および長さとする。
これは粘着テープ切断後、シャフト５０が自重でシャフト下位点５０１まで戻り、且つ粘着テープ１１とテープ切断刃２２が剥がれないための必要な条件である。
【００３４】
（テープ保持バーとローラー保持台の高さの理論）
図７（ａ）に示す通り、粘着テープ１１を手８６で引っ張り、粘着テープロール１０から粘着テープ１１が剥がれる剥離点（Separation Point）をＳＰとする。ＳＰとテープ切断刃２２の刃先は、水平であり、その水平線（Horizontal Line）をＨＬラインとすると、図７（ｂ）に示すように、テープ保持バー３４のトップと、ローラー保持ベース３１のローラー３２のトップは、ＨＬラインよりも数ｍｍ上の高さになるように調整する。
【００３５】
〔使用の方法〕
以上のような構成を有する本実施形態の片折れテープカッター１の使用の方法を、図面を参照して説明する。
【００３６】
片折れテープカッター１に粘着テープロール１０をセットし最初の一回だけテープ切断刃２２でカットした初期状態が図８である。
その使用方法は図９で示すように、指８５でテープ切断可動アーム２０を押すと、上方突起バネ２７の支えと、粘着テープ１１の戻り作用でローラー３２は後方に回転し粘着テープ１１は上方に盛り上がり、ループタブ８４が上側に作られる。
テープ切断可動アーム２０がローラー３２に接触すると、上方突起バネ２７は突起バネ押さえ棒２８により、くの字型に屈曲し上方突起バネ２７の先端は下がるので、ループタブ８４を指で摘まんでも上方突起バネ２７は挟まれない。
一方、テープ切断可動アーム２０が押されると、連動してロックレバー４１も動き、ロックレバー４１のL字のフック部分がロックレバー４２に引っ掛かりロックされる。これにより、テープ切断可動アーム２０はアーム戻しバネ２６に押されていても戻らない。
【００３７】
図１０で示すように、ループタブ８４を指でつまみ、そのまま必要な長さまで引っ張りだす。この引き出しにより、粘着テープロール１０は回転しながら、上方向に持ち上がり、粘着テープロール１０内側のシャフト５０も持ち上がり、本発明の動力となす。この動力であるシャフト５０の両端のリリーズピン５１がリリーズレバー６１を持ち上げ、ロックレバー保持台４２に止められているロックレバー４１も持ち上がり、ロック解除する。この解除により、テープ切断可動アーム２０はアーム戻しバネ２６の反発で、初期の位置に戻る。
【００３８】
図１１で示すように、手８６でループタブ８４を摘まんだ粘着テープ１１を必要な長さまで引き出し、テープ切断刃２２でカットする。
【００３９】
粘着テープ１１がカットされると、粘着テープロール１０とシャフト５０は自らの重みで、シャフト移動溝５２に沿って、最初の位置に落ち、初期状態に戻る。
【００４０】
粘着テープロール１０の装着方法は、粘着テープロール１０の内側にシャフト５０を中心軸に持つリール１３に装着し、シャフト装入溝５３から入れてセットする。
【００４１】
〔作用効果〕
以上のような構成を有する本実施形態の片折れテープカッター１の作用効果を、以下に説明する
（１）図８に示すように、片折れテープカッター１は、平面視略方状の基台８０の上にテープ切断刃２２を先端に持つ回動可能なテープ切断可動アーム２０を設け、向き合うように固定ローラー保持台３０を設置し、
テープロール支持台７０を基台８０の他端部の上端に設置する。
粘着テープロール１０の内側に、シャフト５０を装着し、装着したシャフト５０を、テープロール支持台７０にセットする。
テープ切断可動アーム２０を、指先で押して固定ローラー保持台３０に近づけ、粘着テープ１１を上側に屈曲させループ状のループタブ８４を形成できるループタブ形成機構を基台８０の上に設け、
固定ローラー保持台３０に接触したテープ切断可動アーム２０を、そのままの状態にロック保持する、ロックレバー４１を有し、
このとき、シャフト５０の両端から出ているリリーズピン５１に、リリーズレバー６１が接する機構であり、
ループタブ８４を指８５でつまむことにより、テープの内側の粘着面が接着し折り返しができる。
粘着テープ１１を引き出すと、粘着テープロール１０とシャフト５０は引き上げられ、リリーズピン５１に触れているリリーズレバー６１を持ち上げ、リリーズレバー６１はロックレバー４１のロックを外し、テープ切断可動アーム２０のロック状態を解除し、
ロックを解除された、テープ切断可動アーム２０をアーム戻しバネ２６で、もとの位置に押し戻し、粘着テープ１１をテープ切断可動アーム２０の先端のテープ切断刃２２に押し付けてカットできる機構を有す。
【００４２】
以上の構成により、粘着テープ１１の片端が折り返しできる機構が提供される。
テープ切断可動アーム２０がロックされることにより、テープ切断可動アーム２０から指を離し、ループタブ８４を摘まむことができるという著しい効果を奏する。
また、粘着テープ１１を指の引っ張ることにより、粘着テープロール１０及び、リール１３内のシャフト５０が上部に動き、シャフト５０を動力としてテープ切断可動アーム２０のロックを極めて簡便に解除することもできる。
さらに、全ての機構は水平に張られた粘着テープ１１の下側にあり、通常のテープカッターとしても使用できる良さもある。
【００４３】
（２）テープ切断可動アーム２０は、可動アームベース２１の先端にテープ切断刃２２を有し、テープ切断可動アーム２０が指などで押されると、アーム回転軸２５を中心に回転可動する。これにより、ループタブ８４が作成できる。
テープ切断可動アーム２０の背面にストッパー８１を配置し、ストッパー８１を前後に調整するストッパー調整ネジ８２を有し、これを調整することでテープ切断刃２２とローラー３２との間の距離を１〜２ｃｍ位空けられ、これによりループタブ８４の大きさを変えることができる。
折返されたループタブ８４の長さはテープ切断刃２２とローラー３２との間の距離の約半分となる。
【００４４】
（３）図３（ａ）に示すように、上方突起バネ２７を、テープ切断可動アーム２０の前に、テープ切断刃２２に接触して置き、テープ切断刃２２の先端と同じ高さにする。これにより粘着テープ１１を上に支える効果がある。
【００４５】
また、図３（ｂ）に示すように、固定ローラー保持台３０の中ほどに上方突起バネ２７を抑えて屈曲させる突起バネ押さえ棒２８を有している。これによりテープ切断可動アーム２０が押されると、上方突起バネ２７は、くの字型に曲がり、先端がローラー３２よりも下がる構造になっている。これによりループタブ８４をつまんでも、上方突起バネ２７は挟まれない効果がある。
【００４６】
（４）図３（ａ）で示す通り、固定ローラー保持台３０はローラー保持ベース３１の上に、粘着テープ１１を支える回転可能なローラー３２を置き、粘着テープ１１を乗せて接着保持している。従って、テープ切断可動アーム２０を押しローラー３２に近づけたとき、図３（ｂ）のようにローラー３２は後方に回転し、粘着テープ１１は上に盛り上がり、確実にループタブ８４を形成する効果がある。
【００４７】
（５）図３で示すように、テープ保持バー３４を、固定ローラー保持台３０と粘着テープロール１０との間に、粘着テープ１１を接着する高さに設置し、粘着テープ１１を過度に後退させないブレーキ役の抑えバーである。
これは粘着テープ１１を切断後、戻りすぎて粘着テープ１１がテープ切断刃２２から剥がれないようにする効果があり、かつ粘着テープ１１を乱暴に引っ張りカットしても、固定ローラー保持台３０と協調し粘着テープ１１の挙動を押さえ安定させる効果もある。
【００４８】
（６）図９で示すように、ロックレバー４１はテープ切断可動アーム２０と連動して同時に動き、ロックレバー４１のL字型のカギ状の部分が、ロックレバー保持台４２にテープ切断可動アーム２０をロック保持するロック機構４０を構成している。従ってテープ切断可動アーム２０から、指８５を放してもループタブ８４が崩れない効果がある。
【００４９】
（７）図２で示す通り、シャフト５０は、円柱の棒であり、テープロール支持台７０により支えられ、粘着テープ１１の引き出しにより、粘着テープロール１０は引っ張り上げられ、シャフト５０に付属したリリーズピン５１はリリーズレバー６１を押し上げ、ロックレバー４１を解除する動力となる。
【００５０】
（８）図５で示す通り、リリーズレバー６１は、ロックレバー４１の先に固定接続され、リリーズレバー６１の押し上げで、ロックレバー保持台４２からロックレバー４１を持ち上げる。これによりテープ切断可動アーム２０をロック解錠する。
解除により、テープ切断可動アーム２０はアーム戻しバネ２６で、もとの位置に戻り、粘着テープ１１をテープ切断刃２２でカットできる。
【００５１】
（９）図８に示すように、テープロール支持台７０は、粘着テープロール１０と、シャフト５０を支持する台であり、シャフト５０が上方向に移動できるシャフト移動溝５２があり、これによりリリーズレバー４１をスムーズに押し上げることができる。
また粘着テープ１１をカット後、シャフト５０がシャフト移動溝５２に沿って、元の下の位置に戻るとき、粘着テープ１１は若干後退するが１ｍｍ以内なので、カット後の粘着テープ１１の端はテープ切断刃２２に粘着したままに維持できる。
テープロール支持台７０に粘着テープロール１０とシャフト５０をセットできるようにシャフト装入溝５３を有し、挿入口はテープ切断可動アーム２０の反対側にあり、シャフト移動溝５２まで通じている。これにより粘着テープロール１０とシャフト５０をシャフト移動溝５２に容易にセットできる。
【００５２】
（１０）すべての機構が水平に張られた粘着テープ１１の下部に配置しているので、従来のテープカッター同様に使用できる特徴がある。
【実施例２】
【００５３】
実施例２は図１２に示す通り、実施例１のリリーズピン５１の代わりにリリーズ盤５５を用いる例である。
テープカッターのリール１３の中心軸にシャフト５０があり、リール１３の背面に円形のリリーズ盤５５を装着する。リリーズ盤５５の直径は粘着テープロール１０の直径よりも若干大きくする。
使用する際は図１２（ｄ）に示すように粘着テープロール１０をリール１３とリリーズ盤５５に装着し、これをテープロール支持台７０にセットする。
【００５４】
図１３に示すように、リリーズ盤用リリーズレバー６６は、リリーズレバー結合子６７でロックレバー４１に固定接続されている。
テープ切断可動アーム２０が押されて、ロックレバー４１がロックされると、図１４に示す通り、リリーズ盤用リリーズレバー６６はリリーズ盤５５に接触するようにリリーズ盤用リリーズレバー６６の角度を調整しておく。
【００５５】
使用方法は実施例１と同様であり、図１３の初期状態から、テープ切断可動アーム２０を指８５で押してロックすると、図１４で示す通り、リリーズ盤用リリーズレバー６６はリリーズ盤５５に接触する。
図１５に示すように、ループタブ８４を手８６で摘まみ、粘着テープ１１を引き出すと粘着テープロール１０とリリーズ盤５５は引き上げられ、リリーズ盤用リリーズレバー６６を押し上げ、テープ切断可動アーム２０はロック解除され、元に位置に戻る。
図１６に示すように、粘着テープ１１をテープ切断刃２２でカットする。
カットされると、シャフト５０は元の位置に落ちる。
【実施例３】
【００５６】
実施例３は図１７に示すように、リールがなくシャフト５０のみが粘着テープロール１０の内側後方（図では左側）に装着され、粘着テープロール１０と接している。
リリーズ機構６０は図１７で示す通り、第２リリーズレバー６３を付加して２段階方式で、ロックレバー４１を解除する構造である。
【００５７】
図１８で示すループタブ８４の形成構造は実施例１と同じであるが、リリーズ機構６０は図１９で示す通り、シャフト５０の中心軸から横に出たリリーズピン５１によりリリーズレバー６１を押し上げ、レバー軸６２を回転軸として反対側は下がる。これにより第２リリーズレバー６３を押し下げ、第２レバー軸６４の反対側の先端が上がり、最終的にロックレバー保持台４２からロックレバー４１を持ち上げる。
以後の動作は実施例１と同じである。                                          
【００５８】
〔その他の実施例〕
本発明の基本的な特徴は本実施例に示すように、片折れテープカッター１の粘着テープ１１の引っ張りにより、粘着テープロール１０が上下に移動し、それに伴いシャフト５０やリリーズ盤５５の上下運動を動力として、テープ切断可動アーム２０のロックをリリーズする発明であり、このリリーズ方式には様々な機構が考えられる。
粘着テープロール１０の上下運動により、動力を発生させてロック解除する方式は本発明の範囲に含まれる。
【符号の説明】
【００５９】
１    片折れテープカッター
１０  粘着テープロール
１１  粘着テープ
１２  テープ芯材
１３  リール
２０  テープ切断可動アーム
２１  可動アームベース
２２  テープ切断刃
２３  ロックレバー軸受
２４  パッド
２５  アーム回転軸 
２６  アーム戻しバネ
２７  上方突起バネ
２８  突起バネ押さえ棒
３０  固定ローラー保持台
３１  ローラー保持ベース
３２  ローラー
３４  テープ保持バー
４０  ロック機構
４１  ロックレバー
４２  ロックレバー保持台
５０  シャフト
５１  リリーズピン
５２  シャフト移動溝
５３  シャフト装入溝
５４  テープロール支持台ギャップ
５５  リリーズ盤
６０  リリーズ機構
６１  リリーズレバー
６２  レバー軸
６３  第２リリーズレバー
６４  第２レバー軸
６５  リリーズレバー重り
６６  リリーズ盤用リリーズレバー
６７  リリーズレバー結合子
７０  テープロール支持台
８０  基台
８１  ストッパー
８２  ストッパー調整ネジ
８４  ループタブ
８５  指
８６  手
９４  テープ切断刃先端点
１２１  粘着テープロール移動前
１２２  粘着テープロール移動後
５０１  シャフト下位点
５０２  シャフト上位点
Ｃ：中心点（Center）
Ｄ１：シャフト下位点距離
Ｄ２：シャフト上位点距離
ｄｌ：シャフト中心距離差
Ｌ：移動距離
θ：水平角度
ＳＰ：剥離点（Separation Point）
ＨＬライン：水平線（Horizontal Line）
【図１】
2019131348.tif 000003
【図２】
2019131348.tif 000004
【図３】
2019131348.tif 000005
【図４】
2019131348.tif 000006
【図５】
2019131348.tif 000007
【図６】
2019131348.tif 000008
【図７】
2019131348.tif 000009
【図８】
2019131348.tif 000010
【図９】
2019131348.tif 000011
【図１０】
2019131348.tif 000012
【図１１】
2019131348.tif 000013
【図１２】
2019131348.tif 000014
【図１３】
2019131348.tif 000015
【図１４】
2019131348.tif 000016
【図１５】
2019131348.tif 000017
【図１６】
2019131348.tif 000018
【図１７】
2019131348.tif 000019
【図１８】
2019131348.tif 000020
【図１９】
2019131348.tif 000021
【手続補正書】
【提出日】平成30年2月1日(2018.2.1)
【手続補正１】
【補正対象書類名】図面
【補正対象項目名】図２
【補正方法】変更
【補正の内容】
【図２】
2019131348.tif 000022